(57)【要約】【課題】塵芥収集車において、塵芥投入箱をメンテナンス性がよく見映えのよいものにする。【解決手段】塵芥投入箱６における塵芥投入口５の上方を開閉式ルーフカバー２０で開閉可能に覆う。この開閉式ルーフカバー２０の後面２０ａに形成された第１〜第３付属品収納部２３ａ，２４ａ，２５ａを覆うように保護カバー２１を取り付ける。【選択図】図２
2016183025.tif 000002
【特許請求の範囲】
【請求項１】
車台上に設けられた塵芥収容箱と、該塵芥収容箱の後方開口部に連設され、塵芥が投入される塵芥投入口が形成された塵芥投入箱とを備えた塵芥収集車において、
上記塵芥投入箱における上記塵芥投入口の上方を開閉可能に覆う開閉式ルーフカバーと、
上記開閉式ルーフカバーの後面に形成された付属品収納部と、
少なくとも上記付属品収納部を覆うように取り付けられる保護カバーとを備えている
ことを特徴とする塵芥収集車。
【請求項２】
請求項１に記載の塵芥収集車において、
上記付属品は、点灯可能な作業表示看板であり、
上記保護カバーにおける少なくとも上記作業表示看板の正面は、透明部材又は半透明部材で構成されている
ことを特徴とする塵芥収集車。
【請求項３】
請求項１又は２に記載の塵芥収集車において、
上記付属品は、バックアイカメラであり、
上記保護カバーにおける少なくとも該バックアイカメラの正面は、透明部材で構成されている
ことを特徴とする塵芥収集車。
【請求項４】
請求項１から３のいずれか１つに記載の塵芥収集車において、
上記付属品は、作業時の投入口及びその周辺を照らす作業灯であり、
上記保護カバーにおける少なくとも作業灯の正面は、透明又は半透明部材よりなる
ことを特徴とする塵芥収集車。
【請求項５】
請求項１から４のいずれか１つに記載の塵芥収集車において、
上記開閉式ルーフカバーの上方の上記塵芥投入箱の後面にＬＥＤランプが固定されている
ことを特徴とする塵芥収集車。
【請求項６】
請求項１から５のいずれか１つに記載の塵芥収集車において、
上記保護カバーの表面側にナンバープレートを取り付けるプレート用ブラケットが固定されている
ことを特徴とする塵芥収集車。
【発明の詳細な説明】
【技術分野】
【０００１】
本発明は、車台上に設けられた塵芥収容箱と、この塵芥収容箱の後方開口部に連設された塵芥投入箱とを備えた塵芥収集車に関し、特にその開閉式ルーフカバーに関する。
【背景技術】
【０００２】
従来より、塵芥収集車の車枠上に搭載された塵芥収容箱の後部に接続され、後面に塵芥投入口が設けられてなる塵芥投入箱が知られている。
【０００３】
塵芥投入口に塵芥を投入する作業を行う際には、通行人や後方からの車両等に対し、塵芥収集車が停車して作業中であることを報せて注意を喚起する必要がある。そのため、塵芥投入箱の後面にはブレーキランプやハザードランプ、作業表示灯などが備えられる。また、塵芥収集車の運転席から塵芥投入口付近の作業状況を確認しうるように、塵芥投入箱の後面にバックアイカメラ等のオプション部品が取り付けられる場合もある。これらの灯具類やオプション部品は、開閉扉の開閉状態によって視認性に影響を受けることのない位置に設けられるのが望ましい。また、開閉扉を開閉する際の振動等によって灯具類や配線に不具合が生じないように配慮する必要もある。
【０００４】
例えば、特許文献１の塵芥投入箱では、塵芥投入口よりも上方部分を覆う位置にルーフカバーが設けられて、このルーフカバーにブレーキランプその他の灯具類が取り付けられ、それら灯具類の配線がルーフカバーの下面側に配設されるとともに、ルーフカバーの前縁部が、塵芥投入箱の頂部近傍に連結部材を介して取り付けられ、ルーフカバーの後縁側が上下方向に回動自在に保持されている。この塵芥投入箱では、開閉可能なルーフカバーにより、灯具類の配線の点検作業を、より安全な姿勢で容易に実施することができる。
【先行技術文献】
【特許文献】
【０００５】
【特許文献１】特開２００８−２８５３１６号公報
【発明の概要】
【発明が解決しようとする課題】
【０００６】
しかしながら、特許文献１の塵芥投入箱に設けられるような灯具類だけでなく、それとは別に大きな作業表示看板やバックアイカメラの取付が行われることがある。
【０００７】
そのような場合、オプション対応として塵芥投入口周辺やルーフカバーに取り付けられる。オプションの付属品を取り付けない場合には、見映えが悪くなるので、塵芥投入箱側に専用の収容凹部を設けることができず、別途専用のブラケットなどにより取り付けられる。
【０００８】
そうすると、ルーフカバーを開閉するときやメンテナンス時に邪魔になり、見映えも悪いという問題がある。
【０００９】
本発明は、かかる点に鑑みてなされたものであり、その目的とするところは、塵芥投入箱を付属品を取り付けてもメンテナンス性がよく見映えのよいものにすることにある。
【課題を解決するための手段】
【００１０】
上記の目的を達成するために、この発明では、開閉式ルーフカバーの後面に付属品収納部を設け、保護カバーで覆うようにした。
【００１１】
具体的には、第１の発明では、車台上に設けられた塵芥収容箱と、該塵芥収容箱の後方開口部に連設され、塵芥が投入される塵芥投入口が形成された塵芥投入箱とを備えた塵芥収集車を前提とし、
上記塵芥収集車は、
上記塵芥投入箱における上記塵芥投入口の上方を開閉可能に覆う開閉式ルーフカバーと、
上記開閉式ルーフカバーの後面に形成された付属品収納部と、
少なくとも上記付属品収納部を覆うように取り付けられる保護カバーとを備えている。
【００１２】
上記の構成によると、付属品が開閉式ルーフカバーの後面に設けた付属品収納部に見映えよく収納されると共に、オプション対応の付属品の場合、付属品収納部に付属品を収納しない場合でも、保護カバーで覆われるので見映えが悪化しない。また付属品の配線を付属品収納部に設けた貫通孔等を用いて行うことができ、配線の取り回しが容易となる。また、開閉式ルーフカバーの後面であれば、付属品が後方から目立つように設けることができると共に、作業灯やバックアイカメラであれば、その角度も調整しやすい。
【００１３】
第２の発明では、第１の発明において、
上記付属品は、点灯可能な作業表示看板であり、
上記保護カバーにおける少なくとも上記作業表示看板の正面は、透明部材又は半透明部材で構成されている。
【００１４】
上記の構成によると、従来のように開閉式ルーフカバーに専用のブラケットを設けて作業表示看板を設ける必要がなく、極めて見映えがよい上に組付けも容易となる。
【００１５】
第３の発明では、第１又は第２の発明において、
上記付属品は、バックアイカメラであり、
上記保護カバーにおける少なくとも該バックアイカメラの正面は、透明部材で構成されている。
【００１６】
上記の構成によると、バックアイカメラが保護カバー内に見映えよく収納される。
【００１７】
第４の発明では、第１から第３のいずれか１つの発明において、
上記付属品は、作業時の投入口及びその周辺を照らす作業灯であり、
上記保護カバーにおける少なくとも作業灯の正面は、透明又は半透明部材よりなる。
【００１８】
上記の構成によると、作業灯が付属品収納部に見映えよく収納されると共に保護カバーで保護される。
【００１９】
第５の発明では、第１から第４のいずれか１つの発明において、
上記開閉式ルーフカバーの上方の上記塵芥投入箱の後面にＬＥＤランプが固定されている。
【００２０】
上記の構成によると、特許文献１のように大きなＬＥＤランプの場合、このＬＥＤランプが開閉式ルーフカバーではなく、塵芥投入箱の後面に固定されているので、開閉式ルーフカバーの質量が軽くなって開閉が容易になると共に、開閉式ルーフカバー側に付属品を多く設けることができる。
【００２１】
第６の発明では、第１から第５のいずれか１つの発明において、
上記保護カバーの表面側にナンバープレートを取り付けるプレート用ブラケットが固定されている。
【００２２】
上記の構成によると、塵芥投入箱の下方にナンバープレートを設ける場合よりもナンバーが見やすくなる。
【発明の効果】
【００２３】
以上説明したように、本発明によれば、塵芥投入口の上方を開閉可能に覆う開閉式ルーフカバーの後面に付属品収納部を設け、この付属品収納部を覆うように保護カバーを取り付けたことにより、塵芥投入箱をメンテナンス性がよく見映えのよいものにすることができる。
【図面の簡単な説明】
【００２４】
【図１】塵芥収集車を示す側面図である。
【図２】塵芥投入箱を示す斜視図である。
【図３】塵芥投入箱を示す側面図である。
【図４】塵芥投入箱を示す背面図である。
【図５】サイドカバーを開き、開閉式ルーフカバーを開いた状態の塵芥投入箱を示す斜視図である。
【図６】ルーフカバー及びその周辺を拡大して示す斜視図である。
【図７】ルーフカバーの一部を拡大して示し、（ａ）が背面図で、（ｂ）が（ａ）のVIIb−VIIb線断面図である。
【発明を実施するための形態】
【００２５】
以下、本発明の実施形態を図面に基づいて説明する。
【００２６】
図１は本発明の実施形態の塵芥収集車１を示し、この塵芥収集車１は、車台２上に設けられた塵芥収容箱３を備えている。この塵芥収容箱３の後方開口部４には、図２から図５に示すように、塵芥が投入される塵芥投入口５が形成された塵芥投入箱６が連設されている。図５にサイドカバー９を開いて示すように、塵芥投入箱６は、例えば傾動シリンダ７により、傾動可能となっている。詳しくは図示しないが、塵芥投入箱６内には、例えばパックシリンダ８等により駆動され、塵芥収容箱３に塵芥を詰め込むプレス式の塵芥収集装置が内蔵されている。この塵芥収集装置は、例えば、塵芥投入口５の周縁に設けられた操作盤１０で操作可能となっている。塵芥収集装置は、回転板式や遊星歯車式でもよい。
【００２７】
塵芥投入口５は、板状の投入口カバー１１で覆われており、この投入口カバー１１を上下にスライドさせることで、塵芥投入口５が開閉可能となっている。
【００２８】
例えば、塵芥投入箱の左右両側には、テールランプ１２が設けられ、塵芥投入口５の下方には、作動停止装置１３が設けられている。
【００２９】
そして、本発明の特徴として、図２〜図６に示すように、塵芥投入箱６における塵芥投入口５の上方が開閉式ルーフカバー２０で開閉可能に覆われている。この開閉式ルーフカバー２０は、図３に示すように、側面視で略三角形状であり、後面２０ａがほぼ鉛直となっており、例えば、図５に示すように、ガスダンパー２０ｂで支持されている。この開閉式ルーフカバー２０の後面２０ａには、後述する複数の付属品収納部２２ａ，２３ａ，２４ａが形成されており、図７に示すように、後面２０ａ全体が例えば、透明なアクリル板等よりなる保護カバー２１で覆われている。保護カバー２１は、例えば、ボルト２１ａにより、後面２０ａに脱着可能に固定されている。なお見やすくするために、図２及び図７以外では、保護カバー２１は省略している。本実施形態の保護カバー２１は、透明であるが、必要な部分だけ透明とし、他の部分は、黒色シールを貼るなどして見映えをよくしてもよい。また、透明ではなく、半透明としてもよし、アクリル板以外の樹脂板や強化ガラス板でもよい。
【００３０】
付属品の１つは、例えば、作業時の塵芥投入口５及びその周辺を照らす作業灯２２である。作業灯２２は、後面２０ａの左右に間隔を空けて設けた第１付属品収納部２２ａに収容されている。詳しくは図示しないが、作業灯２２の配線は、第１付属品収納部２２ａに形成した貫通孔を通って開閉式ルーフカバー２０の裏面に沿って前方へ延びている。作業灯２２は、第１付属品収納部２２ａ内で主に塵芥投入口５及びその周辺を照らす方向に取り付けられている。保護カバーにおける作業灯２２の正面は、透明又は半透明となっている。これにより、作業灯２２が第１付属品収納部２２ａに出っ張ることなく、見映えよく収納されて保護カバーで保護される。
【００３１】
他の付属品は、例えば、バックアイカメラ２３であり、このバックアイカメラ２３は、後面２０ａの左右中央に凹陥された第２付属品収納部２３ａに収納されている。バックアイカメラ２３の配線は、第２付属品収納部２３ａに形成した貫通孔を通って開閉式ルーフカバー２０の裏面に沿って前方へ延びている。保護カバー２１におけるバックアイカメラ２３の正面は、透明であるのが、鮮明な画像を得る上で望ましい。このように第２付属品収納部２３ａ内で斜め下方の適度な角度に向くように収納すれば、従来のように、専用のブラケットをせり出すように取り付けてバックアイカメラ２３の撮影角度を確保することもなく、バックアイカメラ２３が保護カバー２１内に見映えよく収納されている。
【００３２】
また、付属品は、例えば、点灯可能な作業表示看板２４である。この作業表示看板２４は、矩形板状のプレートに例えば、作業中の文字が浮き上がるようにＬＥＤ素子等が配列されている。保護カバー２１は、少なくとも作業表示看板２４の正面において、透明部材又は半透明部材で構成されている。この作業表示看板２４は、例えば、後面２０ａの背面から見て右側の第１付属品収納部２２ａと第２付属品収納部２３ａとの間に凹陥された第３付属品収納部２４ａに収納されている。作業表示看板２４の配線も第３付属品収納部２４ａに形成した貫通孔を通って開閉式ルーフカバー２０の裏面に沿って前方へ延びている。このように第３付属品収納部２４ａ内に収納すれば、作業表示看板２４を点灯すると、開閉式ルーフカバー２０の後面２０ａという目立つ位置にはっきりと作業表示看板２４が浮かび上がる。このため、従来のように開閉式ルーフカバー２０に専用のブラケットを設けて作業表示看板２４を設ける必要がなく、見映えがよくなっている。作業表示看板２４を設けないときには、第３付属品収納部２４ａを目隠し板で覆ってもよいし、保護カバー２１の背面に黒色シールを貼って覆うようにしてもよい。
【００３３】
そして、保護カバー２１の背面から見て左側における第１付属品収納部２２ａと第２付属品収納部２３ａとの間には、表面側にナンバープレート２５を取り付けるためのプレート用ブラケット２５ａが固定されている。プレート用ブラケット２５ａは、図７に示す保護カバー２１に設けたネジ孔２１ｂを利用して固定される。
これにより、塵芥投入箱６の下方にナンバープレート２５を設ける場合よりもナンバーが見やすくなっている。
【００３４】
そして、開閉式ルーフカバー２０の上方の塵芥投入箱６の後面にＬＥＤランプ２６が固定されている。このＬＥＤランプ２６は、開閉式ルーフカバー２０ではなく、塵芥投入箱６の後面に固定されているので、開閉式ルーフカバー２０の質量が軽くなり、開閉が容易になると共に、開閉式ルーフカバー２０側に付属品を多く設けることができるという点で有利である。
【００３５】
このようにすれば、作業灯２２、バックアイカメラ２３及び作業表示看板２４が開閉式ルーフカバー２０の後面２０ａに設けた第１〜第３付属品収納部２３ａ，２４ａ，２５ａに見映えよく収納される。また、開閉式ルーフカバー２０の後面２０ａであれば、後方から目立つので、作業表示看板２４やナンバープレート２５を設けやすく、作業灯２２やバックアイカメラ２３の角度も調整しやすい。また、第１〜第３付属品収納部２３ａ，２４ａ，２５ａに設けた貫通孔を用いて配線すれば、配線の取り回しが容易となる。また、オプション対応の付属品の場合、第１〜第３付属品収納部２３ａ，２４ａ，２５ａのいずれかに付属品を収納しない場合でも、保護カバー２１で覆われるので見映えが悪化しない。その場合、保護カバー２１の裏面に黒色シールを貼るなどすれば、不使用の収納部が隠れて見映えがよくなる。
【００３６】
したがって、本実施形態に係る塵芥収集車１によると、塵芥投入箱６をメンテナンス性がよく見映えのよいものにすることができる。
【００３７】
（その他の実施形態）
本発明は、上記実施形態について、以下のような構成としてもよい。
【００３８】
すなわち、上記実施形態では、付属品として、作業灯２２、バックアイカメラ２３、作業表示看板２４の例を示したが、これに限定されない。また、ナンバープレート２５は、必ずしも設けなくてもよい。
【００３９】
なお、以上の実施形態は、本質的に好ましい例示であって、本発明、その適用物や用途の範囲を制限することを意図するものではない。
【符号の説明】
【００４０】
１      塵芥収集車
２      車台
３      塵芥収容箱
４      後方開口部
５      塵芥投入口
６      塵芥投入箱
７      傾動シリンダ
８      パックシリンダ
９      サイドカバー
１０      操作盤
１１      投入口カバー
１２      テールランプ
１３      作動停止装置
２０      開閉式ルーフカバー
２０ａ    後面
２０ｂ    ガスダンパー
２１      保護カバー
２１ａ    ボルト
２１ｂ    ボルト孔
２２      作業灯
２２ａ    第１付属品収納部
２３      バックアイカメラ
２３ａ    第２付属品収納部
２４      作業表示看板
２４ａ    第３付属品収納部
２５      ナンバープレート
２５ａ    プレート用ブラケット
２６      ＬＥＤランプ
【図１】
2016183025.tif 000003
【図２】
2016183025.tif 000004
【図３】
2016183025.tif 000005
【図４】
2016183025.tif 000006
【図５】
2016183025.tif 000007
【図６】
2016183025.tif 000008
【図７】
2016183025.tif 000009